(57)【要約】【課題】野菜や食肉等の販売において、生産者からのメッセージを伝えるなどして、より一層ユーザーに購入意欲を促すことが可能な販売支援システムを提供することを目的とする。【解決手段】店舗などに設置されかつ商品に関連する情報を表示するための表示システム部と、商品に関連する生産者の情報を撮影し前記表示システム部に情報を配信する情報作成部とからなり、前記表示システム部は、前記情報作成部２から送られてくる商品に関連する生産者の情報に関するデータが複数記憶可能な生産地情報記憶手段１３と、この生産地情報記憶手段１３に記憶された複数の生産者の情報に関するデータから特定の生産者の情報を選択する選択手段１４と、商品に近接して設置されかつ前記選択手段により選択された生産者の情報を表示するプラズマディスプレイ１６とで構成した。【選択図】　図２
2004069735.tif 000002
【特許請求の範囲】
【請求項１】
店舗などに設置されかつ商品に関連する情報を表示するための表示システム部と、商品に関連する生産者の情報を撮影し前記表示システム部に情報を配信する情報作成部とからなり、前記表示システム部は、前記情報作成部から送られてくる商品に関連する生産者の情報に関するデータが複数記憶可能な生産地情報記憶手段と、この生産地情報記憶手段に記憶された複数の生産者の情報に関するデータから特定の生産者の情報を選択する選択手段と、商品に近接して設置されかつ前記選択手段により選択された生産者の情報を表示するプラズマディスプレイとで構成したことを特徴とするプラズマディスプレイを用いた販売支援システム。
【請求項２】
店舗などに設置されかつ商品に関連する情報を表示するための表示システム部と、商品に関連する生産者の情報を撮影し前記表示システム部に情報を配信する情報作成部とからなり、前記表示システム部は、前記情報作成部から送られてくる商品に関連する生産者の情報に関するデータが入力される情報入力手段と、この情報入力手段に入力された生産者の情報に関するデータに関連付けられた管理情報データを付与する情報管理制御手段と、この情報管理制御手段により付与された管理情報データと生産者の情報に関するデータとからなる商品情報データが複数記憶可能な生産地情報記憶手段と、この生産地情報記憶手段に記憶された複数の商品情報データの中から管理情報データに基づき特定の生産者の情報に関する情報を選択する選択手段と、商品に近接して設置されかつ前記選択手段により選択された生産者の情報を表示するプラズマディスプレイとで構成したことを特徴とするプラズマディスプレイを用いた販売支援システム。
【請求項３】
店舗などに設置されかつ商品に関連する情報を表示するための表示システム部と、この表示システム部と情報通信網を通じて接続されかつ商品に関連する生産者の情報を撮影し前記表示システム部に情報を配信する情報作成部とからなり、前記情報作成部は、商品に関連する生産者の情報を撮影した生産者の情報に関するデータに管理情報を付与して商品情報データとして記憶する情報作成手段と、この情報作成手段に記憶された商品情報データを送信する送信手段とで構成し、前記表示システム部は、情報通信網を通して前記情報作成部から送られてくる商品情報データを受信する情報入力手段と、この情報入力手段に入力された商品情報データが複数記憶可能な生産地情報記憶手段と、この生産地情報記憶手段に記憶された複数の商品情報データの中から情報管理データに基づき特定の生産者の情報に関する情報を選択する選択手段と、商品に近接して設置されかつ前記選択手段により選択された生産者の情報を表示するプラズマディスプレイとで構成したことを特徴とするプラズマディスプレイを用いた販売支援システム。
【請求項４】
表示システム部は、複数台のプラズマディスプレイと、選択手段により選択された商品情報データを前記複数台のプラズマディスプレイそれぞれに配信する配信手段を備えたことを特徴とする請求項１〜３のいずれかに記載のプラズマディスプレイを用いた販売支援システム。
【請求項５】
表示システム部は、商品に関する独自の情報データを作成する独自情報作成手段と、この独自情報作成手段により作成した独自情報データを商品情報データに合成編集する編集手段とを備え、この編集手段により編集された商品情報データを生産地情報記憶手段に記憶するように構成したことを特徴とする請求項１〜３のいずれかに記載のプラズマディスプレイを用いた販売支援システム。
【請求項６】
情報作成部で作成した情報を蓄積するコンテンツサーバーと、このコンテンツサーバーに蓄積された情報を表示システム部に配信する配信スケジュールを作成する配信スケジュール管理手段とを有し、情報作成部で作成した商品に関連する生産者の情報をコンテンツサーバーに蓄積するとともに、配信スケジュールに基づいてコンテンツサーバーに蓄積された特定の情報を読み出して表示システム部に配信するように構成したことを特徴とする請求項１〜３のいずれかに記載のプラズマディスプレイを用いた販売支援システム。
【発明の詳細な説明】
【０００１】
【発明の属する技術分野】
本発明は、大画面で、薄型、軽量のプラズマディスプレイを用い、商品に関連する情報を表示してユーザーに購入意欲を促す販売支援システムに関するものである。
【０００２】
【従来の技術】
近年、健康ブーム、グルメ嗜好の観点から、ユーザーが食料品を購入する際には、出来るだけ体に良い物、おいしい物を食べたいという欲求が強くなってきている。
【０００３】
このような状況にあって、食料品を販売するスーパーや百貨店等の店舗では、食料品、特に生鮮食料品の販売コーナーにおいて、「○○テレビで紹介された」、「○○産の」、「産地直送の」等の広告表示を行ったり、売り場に商品の説明員を配置して顧客の注意を喚起したり、商品の味見コーナーあるいは試用コーナーを設けたりして、一般ユーザーに購入意欲をそそることが行われている。
【０００４】
【発明が解決しようとする課題】
しかしながら、販売コーナーに商品の説明員を配置して説明したり、紙に生産地や宣伝のための広告を書いて表示して説明をしても、あくまでも販売している店舗が行っているに過ぎず、例えば野菜や食肉等のように同じ生産者により生産されたものが異なる複数の店舗で販売されているような場合、店舗によって販売の説明が違ってくることがあり、この場合にはユーザーの信頼を失うことにも繋がってしまう。特に、最近の狂牛病問題、生産地偽証等の社会問題から、ユーザーにとっては、さらに安全な物を食べたいという欲求が強くなってきており、どのような状況で生産されたか等の情報も的確にユーザーに伝えることが重要な要素となってきている。
【０００５】
一方、野菜や食肉の生産者からすると、自ら育てたものを多くのユーザーに購入してもらいたいという意識があるものの、直接販売を行うことは少なく、生産者としての気持ちを一般ユーザーに伝えることは出来ない状況にある。
【０００６】
本発明はこのような状況に鑑みなされたもので、特に野菜や食肉等の販売において、生産者からのメッセージを伝えるなどして、より一層ユーザーに購入意欲を促すことが可能な販売支援システムを提供することを目的とする。
【０００７】
【課題を解決するための手段】
上記目的を達成するために本発明のプラズマディスプレイを用いた販売支援システムは、店舗などに設置されかつ商品に関連する情報を表示するための表示システム部と、商品に関連する生産者の情報を撮影し前記表示システム部に情報を配信する情報作成部とからなり、前記表示システム部は、前記情報作成部から送られてくる商品に関連する生産者の情報に関するデータが複数記憶可能な生産地情報記憶手段と、この生産地情報記憶手段に記憶された複数の生産者の情報に関するデータから特定の生産者の情報を選択する選択手段と、商品に近接して設置されかつ前記選択手段により選択された生産者の情報を表示するプラズマディスプレイとで構成したものである。
【０００８】
【発明の実施の形態】
すなわち、本発明の請求項１記載の発明は、店舗などに設置されかつ商品に関連する情報を表示するための表示システム部と、商品に関連する生産者の情報を撮影し前記表示システム部に情報を配信する情報作成部とからなり、前記表示システム部は、前記情報作成部から送られてくる商品に関連する生産者の情報に関するデータが複数記憶可能な生産地情報記憶手段と、この生産地情報記憶手段に記憶された複数の生産者の情報に関するデータから特定の生産者の情報を選択する選択手段と、商品に近接して設置されかつ前記選択手段により選択された生産者の情報を表示するプラズマディスプレイとで構成したことを特徴とする。
【０００９】
また、請求項２に記載の発明は、店舗などに設置されかつ商品に関連する情報を表示するための表示システム部と、商品に関連する生産者の情報を撮影し前記表示システム部に情報を配信する情報作成部とからなり、前記表示システム部は、前記情報作成部から送られてくる商品に関連する生産者の情報に関するデータが入力される情報入力手段と、この情報入力手段に入力された生産者の情報に関するデータに関連付けられた管理情報データを付与する情報管理制御手段と、この情報管理制御手段により付与された管理情報データと生産者の情報に関するデータとからなる商品情報データが複数記憶可能な生産地情報記憶手段と、この生産地情報記憶手段に記憶された複数の商品情報データの中から管理情報データに基づき特定の生産者の情報に関する情報を選択する選択手段と、商品に近接して設置されかつ前記選択手段により選択された生産者の情報を表示するプラズマディスプレイとで構成したことを特徴とする。
【００１０】
さらに、請求項３に記載の発明は、店舗などに設置されかつ商品に関連する情報を表示するための表示システム部と、この表示システム部と情報通信網を通じて接続されかつ商品に関連する生産者の情報を撮影し前記表示システム部に情報を配信する情報作成部とからなり、前記情報作成部は、商品に関連する生産者の情報を撮影した生産者の情報に関するデータに管理情報を付与して商品情報データとして記憶する情報作成手段と、この情報作成手段に記憶された商品情報データを送信する送信手段とで構成し、前記表示システム部は、情報通信網を通して前記情報作成部から送られてくる商品情報データを受信する情報入力手段と、この情報入力手段に入力された商品情報データが複数記憶可能な生産地情報記憶手段と、この生産地情報記憶手段に記憶された複数の商品情報データの中から情報管理データに基づき特定の生産者の情報に関する情報を選択する選択手段と、商品に近接して設置されかつ前記選択手段により選択された生産者の情報を表示するプラズマディスプレイとで構成したことを特徴とする。
【００１１】
また、請求項４に記載の発明は、請求項１、２または３において、表示システム部は、複数台のプラズマディスプレイと、選択手段により選択された商品情報データを前記複数台のプラズマディスプレイそれぞれに配信する配信手段を備えたことを特徴とし、請求項５に記載の発明は、請求項１、２または３において、表示システム部は、商品に関する独自の情報データを作成する独自情報作成手段と、この独自情報作成手段により作成した独自情報データを商品情報データに合成編集する編集手段とを備え、この編集手段により編集された商品情報データを生産地情報記憶手段に記憶するように構成したことを特徴とする。
【００１２】
また、請求項６に記載の発明は、請求項１〜３において、情報作成部で作成した情報を蓄積するコンテンツサーバーと、このコンテンツサーバーに蓄積された情報を表示システム部に配信する配信スケジュールを作成する配信スケジュール管理手段とを有し、情報作成部で作成した商品に関連する生産者の情報をコンテンツサーバーに蓄積するとともに、配信スケジュールに基づいてコンテンツサーバーに蓄積された特定の情報を読み出して表示システム部に配信するように構成したことを特徴とする。
【００１３】
このような本発明の販売支援システムによれば、特に野菜や食肉等の販売において、生産者からのメッセージを伝えるなどして、より一層ユーザーに購入意欲を促すことが可能となる。また、プラズマディスプレイは、ガス放電により紫外線を発生させ、この紫外線で蛍光体を励起して発光させカラー表示を行っており、視野角が広いこと、大型化が容易であること、自発光型であるため表示品質が高いことなどの理由から、多くの人が集まる場所で大画面の映像を楽しむための表示装置として適しており、ユーザーに対してより購入意欲を促すことが可能である。
【００１４】
以下、本発明の一実施の形態によるプラズマディスプレイを用いた販売支援システムについて、図１〜図８を用いて説明するが、本発明の実施の態様はこれに限定されるものではない。
【００１５】
図１は本発明の一実施の形態によるプラズマディスプレイを用いた販売支援システムの全体構成を示す図で、図２はその販売支援システムの表示システム部を示す図であり、図において、本実施の形態による販売支援システムは、店舗などに設置されかつ商品に関連する情報を表示するための表示システム部１と、商品に関連する生産者に関する情報を撮影し前記表示システム部１に情報を配信する情報作成部２とから構成されている。
【００１６】
表示システム部１は、前記情報作成部２から送られてくる商品に関連した生産者の情報に関する画像、音声等のデータが入力される情報入力手段１１と、この情報入力手段１１に入力された生産者の情報に関するデータに関連付けられた管理情報データを付与する情報管理制御手段１２と、この情報管理制御手段１２により付与された管理情報データと生産者の情報に関するデータとからなる商品情報データが複数記憶可能な生産地情報記憶手段１３と、この生産地情報記憶手段１３に記憶された複数の商品情報データの中から管理情報データに基づき特定の生産者の情報に関する情報を選択する選択手段１４と、この選択手段１４により選択されたデータを再生する再生手段１５と、商品に近接して設置されかつ前記選択手段１４により選択された生産者の情報を表示するプラズマディスプレイ１６とで構成されている。
【００１７】
なお、このプラズマディスプレイ１６は、薄型で大画面のディスプレイであり、図１に示すように、商品の陳列ユニット３の後方に設置することにより、ユーザーが遠くからでも商品の内容を知ることができると共に、商品を陳列するスペースをほとんど削減することなく、商品の広告宣伝を行なうことができる。
【００１８】
また、情報作成部２は、例えば生産者である漁師または漁業組合等の関係者が捕獲した魚、捕獲状況、捕獲場所などに関する情報を撮影するデジタルビデオカメラやデジタルスチルカメラ等の撮影機器２１と、この撮影機器２１で撮影したデータを編集する編集手段２２とで構成されており、この編集手段２２で編集した情報は、ビデオテープ、半導体メモリ、ディスク状記録媒体等の記録媒体２３に記録される。
【００１９】
すなわち、本実施の形態による販売支援システムによれば、生産者である漁師または漁業組合等の関係者が捕獲した魚、捕獲状況、捕獲場所などに関する情報をデジタルビデオカメラやデジタルスチルカメラ等の撮影機器２１により撮影し、編集手段２２でデータを編集して記録媒体２３に記録する。
【００２０】
そして、この生産者に関する情報のデータを記録した記録媒体２３を捕獲した魚などと共に、販売業者に送り、販売する店舗に設置した表示システム部１において、情報入力手段１１から生産地情報記憶手段１３に保存し、必要に応じて再生してプラズマディスプレイ１６で表示される。
【００２１】
図３に表示システム部の選択手段における情報選択メニューの一例を示している。この図３に示すように、店舗等の従業員がコンピュータ端末の画面に表示される情報選択メニューから、プラズマディスプレイ１６に表示したい情報を選択し、画面中に設けられた実行ボタンを選択して押し下げる操作をすることにより、選択手段１４は生産地情報記憶手段１３に記憶されている情報から特定の情報を選択し、再生手段１５にその情報の画像及び音声のデータを送り、再生手段１５ではその情報のデータを再生することによりプラズマディスプレイ１６に選択した情報が表示される。
【００２２】
図４は本発明の他の実施の形態によるプラズマディスプレイを用いた販売支援システムの全体構成を示す図で、以下この実施の形態について説明する。
【００２３】
この図４に示す実施の形態では、店舗などに設置されかつ商品に関連する情報を表示するための表示システム部１と商品に関連する生産者の情報を撮影し前記表示システム部１に情報を配信する情報作成部２とを、インターネット等の情報通信網４を通じて接続したものである。そして、前記情報作成部２には、例えば生産者である漁師または漁業組合等の関係者が捕獲した魚、捕獲状況、捕獲場所などに関する情報を撮影するデジタルビデオカメラやデジタルスチルカメラ等の撮影機器２１と、この撮影機器２１で撮影したデータを編集する編集手段２２と、生産者が撮影した商品に関する情報のデータに管理情報を付与する管理情報付与手段２４と、この商品情報データを記憶する記憶手段２５とからなる情報作成手段が設けられ、またこの情報作成手段の記憶手段２５に記憶された商品情報データを送信する送信手段２６が設けられている。
【００２４】
そして、表示システム部１では、情報通信網４を通して情報作成部２から送られてくる商品情報データを受信する情報入力手段１１が設けられている。なお、表示システム部１のその他の構成については、上記実施の形態で説明した構成と同様な構成としている。
【００２５】
この図４に示す実施の形態においては、生産者である漁師または漁業組合等の関係者が捕獲した魚、捕獲状況、捕獲場所などに関する情報をデジタルビデオカメラやデジタルスチルカメラ等の撮影機器２１で撮影し、編集手段２２で編集すると共に、その編集手段２２で編集した情報のデータに、例えば魚の種類や捕獲場所等のタイトル、作成者、作成日時等の管理情報を管理情報付与手段２４により付与して、記憶手段２５に記憶する。その後、送信手段２６を用いて、記憶手段に記憶されている複数の情報データから特定のデータを選択し、情報通信網４によって接続されている表示システム部１に送信することにより、生産者からの情報を即座に表示システム部１に送ることができる。
【００２６】
すなわち、本実施の形態によれば、リアルタイムに生産者の情報を店舗に送ってユーザーに見せることができ、新鮮さで商品価値が高くなる鮮魚にとっては、有効な公告宣伝を行なうことができることとなる。
【００２７】
図５は本発明の他の実施の形態によるプラズマディスプレイを用いた販売支援システムの表示システム部を示す図で、この実施の形態については、複数台のプラズマディスプレイ１６と、選択手段１４により選択された商品情報データを前記複数台のプラズマディスプレイ１６それぞれに配信する配信手段１７を備えたものである。
【００２８】
すなわち、この図５に示す実施の形態においては、商品の複数の陳列場所、例えば野菜コーナー、鮮魚コーナー、精肉コーナー等それぞれに、プラズマディスプレイ１６と再生手段１５とを設置し、情報入力手段１１、情報管理制御手段１２、生産地情報記憶手段１３、選択手段１４までの情報管理部分は店舗の管理セクションに設置し、図１や図４に示す実施の形態により生産者から送られてくる情報データを管理セクションで受入れ、そして情報管理部分からそれぞれの販売コーナーのプラズマディスプレイ１６と再生手段１５に店舗内に設置したＬＡＮ等の通信網を使って配信するものである。
【００２９】
図６は本発明の他の実施の形態によるプラズマディスプレイを用いた販売支援システムの表示システム部を示す図で、この実施の形態については、商品に関する独自の情報データを作成する独自情報作成手段１８と、この独自情報作成手段１８により作成した独自情報データを生産地情報記憶手段１３に保存されている商品情報データに合成し編集する編集手段１９とを設け、この編集手段１９により編集された商品情報データを生産地情報記憶手段１３に記憶し、プラズマディスプレイ１６により表示するように構成したものである。
【００３０】
すなわち、この図６に示す実施の形態においては、独自情報作成手段１８により、店舗の従業員が商品の宣伝を行なうために、アニメーション、映像、音声、文章等を組み合わせて独自の表示情報、例えば魚の写真を映している画像に、「○○産のとれたての○○」などの文章を合成した表示情報を作成し、この表示情報のデータを生産地情報記憶手段１３に保存されている商品情報のデータに、編集手段１９を用いて合成、編集できるように構成したものである。なお、図７に編集手段１９により編集した情報データのデータ列の状況の一例を示している。
【００３１】
この図７に示すように、独自情報と生産者から送られてきた生産地情報とが繰り返されたデータを作成し、これを生産地情報記憶手段１３に記憶しておき、そして必要に応じて選択手段１４で選択し、プラズマディスプレイ１６で表示することにより、ユーザーに対して繰り返し情報を提供することができ、より購入意欲を与えることができる。
【００３２】
図８は本発明の他の実施の形態によるプラズマディスプレイを用いた販売支援システムを示す図で、この実施の形態については、情報作成部２で作成した情報をデータセンター２７に蓄積し、配信スケジュール管理手段２８で作成された所定の配信スケジュールに基づいて特定の情報をデータセンター２７から読み出して表示システム部１に配信するように構成したものである。
【００３３】
なお、前記データセンター２７は、情報作成部２で作成した情報を蓄積するコンテンツサーバー２９と、前記配信スケジュール管理手段２８で作成した配信スケジュールを保存するスケジュールサーバー３０と、このスケジュールサーバー３０に保存された配信スケジュールに基づいてコンテンツサーバー２９に蓄積された特定の情報を読み出して表示システム部に配信する送信手段３１により構成されている。また、前記配信スケジュール管理手段２８は、配信スケジュールを作成するスケジュール作成手段３２と、この配信スケジュールに情報作成部２で作成した情報に関連する管理情報を付与するスケジュール管理情報付与手段３３と、管理情報を付与した配信スケジュールの情報を前記データセンター２７のスケジュールサーバー３０に登録するスケジュール登録手段３４とから構成されている。
【００３４】
そして、これらの表示システム部１、情報作成部２、配信スケジュール管理手段２８とデータセンター２７とは、インターネット等の情報通信網４を介して接続されている。
【００３５】
すなわち、この図８に示す実施の形態においては、情報作成部２で作成した商品に関連する生産者の情報をデータセンター２７のコンテンツサーバー２９に蓄積しておき、そしてあらかじめ配信スケジュール管理手段２８で情報を配信するスケジュールを作成しておけば、所定の日時の配信スケジュールに基づいて、コンテンツサーバー２９に蓄積された特定の情報を読み出して表示システム部１に配信することができ、販売促進の活動にあわせてタイミング良く情報を表示することができる。
【００３６】
以上のように本発明の販売支援システムによれば、特に野菜や食肉、魚等の販売において、生産者からのメッセージを伝えるなどして、より一層ユーザーに購入意欲を促すことが可能となる。特に、生産者からの情報を即座にユーザーに提供でき、しかも生産者による生産状況等も伝えることができるため、ユーザーに対して生産物の安全性を伝えることもでき、生産者とユーザーとの間の信頼関係を築くことができると共に、安全で美味しい物を食べたいというユーザーの要求にも応えることができる。
【００３７】
なお、以上の説明では、生産地が１箇所の例を示したが、勿論本発明による販売支援システムは、複数の生産地、すなわち複数の情報作成部から情報データを受け取り、店舗側で取捨選択して表示することもできる。また、生産地が１箇所で、複数の店舗で表示する場合、すなわち１箇所の情報作成部と複数の表示システム部との組み合わせとしても良い。
【００３８】
【発明の効果】
以上の説明から明らかなように本発明の販売支援システムによれば、特に野菜や食肉等の販売において、生産者からのメッセージや生産状況等を伝えるなどして、より一層ユーザーに購入意欲を促すことが可能となる。しかも、ユーザーに対して生産物の安全性を伝えることもでき、生産者とユーザーとの間の信頼関係を築くことができると共に、安全で美味しい物を食べたいというユーザーの要求にも応えることができる。
【図面の簡単な説明】
【図１】本発明の一実施の形態による販売支援システムの全体構成を示す構成図
【図２】同販売支援システムの表示システム部の構成を示すブロック図
【図３】同販売支援システムの選択手段における情報選択画面の一例を示す平面図
【図４】本発明の他の実施の形態による販売支援システムの全体構成を示す構成図
【図５】本発明の他の実施の形態による販売支援システムの表示システム部の構成を示すブロック図
【図６】本発明の他の実施の形態による販売支援システムの表示システム部の構成を示すブロック図
【図７】同販売支援システムの編集手段の動作を説明するためのデータ列の例を示す説明図
【図８】本発明の他の実施の形態による販売支援システムの構成を示すブロック図
【符号の説明】
１　表示システム部
２　情報作成部
４　情報通信網
１１　情報入力手段
１２　情報管理制御手段
１３　生産地情報記憶手段
１４　選択手段
１５　再生手段
１６　プラズマディスプレイ
１７　配信手段
１８　独自情報作成手段
１９　編集手段
２１　撮影機器
２２　編集手段
２３　記憶媒体
２４　管理情報付与手段
２５　記憶手段
２６　送信手段
２７　データセンター
２８　配信スケジュール管理手段
２９　コンテンツサーバー
３０　スケジュールサーバー
３１　送信手段
３２　スケジュール作成手段
３３　スケジュール管理情報付与手段
３４　スケジュール登録手段
【図１】
2004069735.tif 000003
【図２】
2004069735.tif 000004
【図３】
2004069735.tif 000005
【図４】
2004069735.tif 000006
【図５】
2004069735.tif 000007
【図６】
2004069735.tif 000008
【図７】
2004069735.tif 000009
【図８】
2004069735.tif 000010